(57)【要約】【課題】軽くて且つ手触り感が良好なキーホルダーを提供する。【解決手段】キーＰ先端を収納位置から突出位置に移動可能とするキー先端突出機構Ｑを備えたホルダーケース１を備え、当該ホルダーケース１は、熱可塑性プラスチックもしくは熱硬化性プラスチック等の軟質で且つ軽量なプラスチック素材によって形成する。また、ホルダーケース１の表面には、複数個の貫通孔１ａを有し、該貫通孔１ａに名前表示具６を差し込み装着する。【選択図】図２
0003130223.tif 000002
【実用新案登録請求の範囲】
【請求項１】
キー先端を収納位置から突出位置に移動可能とするキー先端突出機構を備えたホルダーケースを備えたキーホルダーであって、当該ホルダーケースは、熱可塑性プラスチックもしくは熱硬化性プラスチック等の軟質で且つ軽量なプラスチック素材によって形成されていることを特徴とするキーホルダー。
【請求項２】
ホルダーケースの表面には、複数個の貫通孔を有し、該貫通孔に名前表示具が脱着自在に差し込み装着されている請求項１記載のキーホルダー。
【請求項３】
名前表示具は、平仮名・片仮名・アルファベット・漢字のいずれかによる文字が表記された弾性を有するプラスチック製の駒片を備え、前記貫通孔に貫挿されるよう当該駒片には係止突部付の脚が垂設されて成る請求項２記載のキーホルダー。
【請求項４】
キー先端突出機構は、ホルダーケースの側面から下面にかけて形成された開口部を介してキー先端が引き出されるよう当該キーのツマミ側がホルダーケース内に支軸を介して回転自在に枢着されて成り、指先によるキー先端の引き出し延長もしくは押し込み収納が可能となるよう開口部を挟むホルダーケースの片面端部から内側に向けて指先挿入用の切欠部を有する請求項１乃至３のいずれかに記載のキーホルダー。
【請求項５】
ホルダーケースからのキー先端の引き出しと同時に引き出し方向に向けて光を照射可能とするよう当該ホルダーケースに、ボタン電池サイズを基準としてユニット化された発光ダイオードユニットによる発光装置を備えた請求項１乃至４のいずれかに記載のキーホルダー。
【請求項６】
ホルダーケースには、リモコン操作により発音可能とする音声発生装置を備えた請求項１乃至５のいずれかに記載のキーホルダー。
【請求項７】
ホルダーケースには、ネックストラップを着脱自在に取り付け可能とする吊下げ孔部を備えた請求項１乃至６のいずれかに記載のキーホルダー。
【考案の詳細な説明】
【技術分野】
【０００１】
本考案は、例えば一般的な家庭用キーや車両用キー等を収容し、暗所でもキーの使用が可能となると共に、不使用時には首等に吊して携帯可能としたキーホルダーに関する。
【背景技術】
【０００２】
従来、キーホルダーとしては、キー露出タイプと、キー収納タイプのものがある。このとき、キー収納タイプのものでは、キーを使用するに際し、携帯されるキーホルダーからキーを引き出してキー孔に挿入する。このとき、キーホルダーは、硬質のプラスチック材で形成されている。
【特許文献１】特になし
【考案の開示】
【考案が解決しようとする課題】
【０００３】
しかしながら、従来におけるキーホルダーであっては、硬質のプラスチック材で形成されているため、重くて手触り感もあまり良くないものであり、しかも、キーホルダー表面に対し、名前等の表記も難しいものであった。また、キーをキー孔に挿入するに際し、周辺が暗くて見え辛い場所においてはキー孔へキーの差し込みが非常に困難である。さらに、暗所においてキーホルダーを紛失した場合には、これを探すのも非常に困難であるという問題点を有していた。
【０００４】
そこで、本考案は、叙上のような従来存した諸事情に鑑み案出されたもので、軽くて且つ手触り感が良好でソフトタッチにすることができ、しかも表面への名前等の表記も可能となり、また周辺が暗くて見え辛い場所においてもキーをキー孔へ容易に差し込むことができ、さらに暗所においてキーを紛失した場合でも、これを容易に探すことができるキーホルダーを提供することを目的とする。
【課題を解決するための手段】
【０００５】
上述した課題を解決するため、本考案にあっては、キー先端を収納位置から突出位置に移動可能とするキー先端突出機構を備えたホルダーケースを備えたキーホルダーであって、当該ホルダーケースは、熱可塑性プラスチックもしくは熱硬化性プラスチック等の軟質で且つ軽量なプラスチック素材によって形成されていることを特徴とする。
【０００６】
ホルダーケースの表面には、複数個の貫通孔を有し、該貫通孔に名前表示具が脱着自在に差し込み装着されている。
【０００７】
名前表示具は、平仮名・片仮名・アルファベット・漢字のいずれかによる文字が表記された弾性を有するプラスチック製の駒片を備え、前記貫通孔に貫挿されるよう当該駒片には係止突部付の脚が垂設されて成る。
【０００８】
キー先端突出機構は、ホルダーケースの側面から下面にかけて形成された開口部を介してキー先端が引き出されるよう当該キーのツマミ側がホルダーケース内に支軸を介して回転自在に枢着されて成り、指先によるキー先端の引き出し延長もしくは押し込み収納が可能となるよう開口部を挟むホルダーケースの片面端部から内側に向けて指先挿入用の切欠部を有する。
【０００９】
ホルダーケースからのキー先端の引き出しと同時に引き出し方向に向けて光を照射可能とするよう当該ホルダーケースに、ボタン電池サイズを基準としてユニット化された発光ダイオードユニットによる発光装置を備えている。
【００１０】
ホルダーケースには、リモコン操作により発音可能とする音声発生装置を備えている。
【００１１】
ホルダーケースには、ネックストラップを着脱自在に取り付け可能とする吊下げ孔部を備えている。
【考案の効果】
【００１２】
本考案によれば、軽くて且つ手触り感が良好でソフトタッチにすることができ、しかも表面への名前等の表記も可能となり、また周辺が暗くて見え辛い場所においてもキーをキー孔へ容易に差し込むことができ、さらに暗所においてキーを紛失した場合でも、これを容易に探すことができる。
【００１３】
すなわち、本考案は、ホルダーケースは、熱可塑性プラスチックもしくは熱硬化性プラスチック等の軟質で且つ軽量なプラスチック素材によって形成されているので、軽くて且つ手触り感が良好でソフトタッチなホルダーケースとすることができる。
【００１４】
ホルダーケースの表面には、複数個の貫通孔を有し、該貫通孔に名前表示具が脱着自在に差し込み装着されているので、ホルダーケース表面への名前等の表記も容易に行える。
【００１５】
名前表示具は、平仮名・片仮名・アルファベット・漢字のいずれかによる文字が表記された弾性を有するプラスチック製の駒片を備え、前記貫通孔に貫挿されるよう当該駒片には係止突部付の脚が垂設されて成るので、ホルダーケース表面の貫通孔に対して引き抜きが阻止された状態に名前表示具を装着させることができ、ホルダーケースからの名前表示具の脱落紛失を防止することができる。
【００１６】
キー先端突出機構は、ホルダーケースの側面から下面にかけて形成された開口部を介してキー先端が引き出されるよう当該キーのツマミ側がホルダーケース内に支軸を介して回転自在に枢着されて成り、指先によるキー先端の引き出し延長もしくは押し込み収納が可能となるよう開口部を挟むホルダーケースの片面端部から内側に向けて指先挿入用の切欠部を有するので、ホルダーケースからのキー先端の引き出し延長もしくは押し込み収納が手指のワンタッチ操作でもって簡単且つ迅速に行える。
【００１７】
ホルダーケースからのキー先端の引き出しと同時に引き出し方向に向けて光を照射可能とするよう当該ホルダーケースに、ボタン電池サイズを基準としてユニット化された発光ダイオードユニットによる発光装置を備えたので、周辺が暗くて見え辛い場所であっても、キー先端突出と同時に突出方向に向けて発せられた光によってキー孔が照明されて認知できるため、暗所でのキー孔へのキーの差し込みが容易に行える。また、光の照明方向は色々と変えることができるため、キー紛失の際にも便利である。さらに、発光装置は、ボタン電池サイズを基準としてユニット化された発光ダイオードユニットによって形成されているので、超薄型のホルダーケースでも発光装置自体を容易に取り付けることができる。
【００１８】
ホルダーケースには、リモコン操作により発音可能とする音声発生装置を備えたので、暗所においてキーを紛失した場合、音声発生装置をリモコン操作で発音させることで、キーの所在が容易に確認できる。
【００１９】
ホルダーケースには、ネックストラップを着脱自在に取り付け可能とする吊下げ孔部を備えたので、ネックストラップを首に吊り下げておくことでキーを紛失させる虞れが無くなり、しかも従来の携帯電話のようにホルダーケースを首に吊り下げたままでワンタッチで簡単にキーを突出させて使用することができる。
【考案を実施するための最良の形態】
【００２０】
以下、図面を参照して本考案を実施するための最良の一形態を説明する。
【００２１】
図１に示すように、ホルダーケース１は、一般的な標準キーサイズによる薄型タマゴ形筐体状に形成されており、該ホルダーケース１は、キーＰ先端を出入自在に収納され、キーＰ先端を収納位置から突出位置に移動可能とするキー先端突出機構Ｑを備えている。
【００２２】
また、ホルダーケース１の上端側面には、首に吊り下げ可能なネックストラップＳを着脱自在に取り付けるための吊下げ孔部２を備えている。
【００２３】
ホルダーケース１は、熱可塑性プラスチックもしくは熱硬化性プラスチック等の軟質で且つ軽量なプラスチック素材によって形成さている。
【００２４】
具体的なホルダーケース１の素材として、例えば、熱可塑性プラスチックを使用した場合としては、可塑剤の添加量に応じて所定のソフト化が得られた状態の軽くて手触り感の良好な塩化ビニル樹脂（ＰＶＣ）が最も好ましいものである。しかし、これは本考案を何等拘束するものではなく、他の熱可塑性プラスチックを採用しても良いことは勿論である。また、熱硬化性プラスチックを採用した場合においても、軽くて手触り感の良好なソフトタッチの素材であれば、ホルダーケース１として使用することができる。
【００２５】
また、ホルダーケース１は、図１に示すように、熱可塑性プラスチックもしくは熱硬化性プラスチックの射出成形等によって、タマゴ形の平面を有する薄型筐体状に形成される。そして、ホルダーケース１全体の色は例えばピンク等に着色され、表面には目鼻口等の顔が印刷される。尚、このようなホルダーケース１の形状・色・デザイン等は、本考案を何等限定するものではない。
【００２６】
さらに、図３に示すように、ホルダーケース１の表面には、例えば３個の貫通孔１ａが形成され、該貫通孔１ａには、名前表示具６が脱着自在に差し込み装着されている。
【００２７】
この名前表示具６は、図４に示すように、平仮名、片仮名、アルファベット、漢字等が表面に表示された弾性を有するプラスチック製の円板状の駒片６ａの下面中央から、下端周囲にフランジ状の係止突部６ｃを一体形成して成る棒状の脚６ｂが垂設されている。そして、ホルダーケース１に形成された貫通孔１ａに、駒片６ａの脚６ｂを差し込み、係止突部６ｃによって引き抜きが防止される。
【００２８】
キー先端突出機構Ｑは、本形態においては、回転スライド式による機構を採用してあり、ホルダーケース１に対してキーＰを手指で回転スライドさせて引き出し可能となるようにしてある。
【００２９】
すなわち、図１に示すように、開口部１１がホルダーケース１の側面から下面にかけて略Ｊ字開口状に形成され、キーＰのツマミ側は、ホルダーケース１内に支軸７を介して回転自在に枢着されている。また、指先によるキーＰ先端の引き出し延長もしくは押し込み収納が可能となるよう開口部１１を挟むホルダーケース１の片面端部から内側に向けて略Ｕ字状の指先挿入用の切欠部１２を形成してある。
【００３０】
また、ホルダーケース１には、該ホルダーケース１からのキーＰ先端の突出と同時に突出方向に向けて光を照射可能とする発光装置３が着脱可能となるように付設されている。この発光装置３は、ボタン電池Ｖサイズを基準として最小面積にユニット化された発光ダイオードユニットによって形成されている。
【００３１】
すなわち、発光装置３は、図５および図８（ａ）に示すように、２個のボタン電池Ｖと１個の発光ダイオード（ＬＥＤ）Ｒを収容可能にした円形のケーシングＫをホルダーケース１の側面に形成された円形の収容凹部５内に着脱自在に装着され、発光ダイオードＲはキーＰ先端が出入するホルダーケース１の一端側から外方へ向けられるように配置されるものとしてある。
【００３２】
上記した発光装置３の具体的な回路構成としては、図７に示すように、２個のボタン電池Ｖ、１個の発光ダイオード（ＬＥＤ）Ｒ、抵抗Ｒ１、スイッチＳＷそれぞれが直列閉回路状に接続されており、スイッチＳＷは、図５および図６に示すように、７ホルダーケース１内に収容されているキーＰの先端部分が出入する例えば開口部１１端部の内側等の任意の箇所に配置される。
【００３３】
このホルダーケース１内にキーＰの先端部分が収容されているときは、図５に示すように、キーＰのツマミ側が開口部１１内側のスイッチＳＷから離反しているため、スイッチオフの状態となって発光ダイオード（ＬＥＤ）Ｒは消灯したままである。
【００３４】
一方、図６に示すように、ホルダーケース１内からキーＰの先端部分が突出したときには、キーＰのツマミ側が開口部１１の端部内側のスイッチＳＷを押圧することでスイッチオンの状態となって発光ダイオード（ＬＥＤ）Ｒが点灯する。
【００３５】
尚、ケーシングＫの形状は丸形以外のものとして、例えばハート形、正方形、長方形としても良い。このときハート型のケーシングＫを使用した場合には、図８（ｂ）に示すように、発光ダイオードＲをハート型のケーシングＫ下側先端部に取り付けるか、あるいは図８（ｃ）に示すように、ハート形のケーシングＫ上側凹部に取り付ける。
【００３６】
また、正方形のケーシングＫを使用した場合には、図８（ｄ）に示すように、発光ダイオードＲをケーシングＫのいずれかの一辺側中央に取り付ける。さらに長方形のケーシングＫを使用した場合には、図８（ｅ）に示すように、発光ダイオードＲをケーシングＫの長手方向に沿って向けられるように一端中央部に取り付けるか、あるいは図８（ｆ）に示すように、ケーシングＫの長手方向に沿った辺の中央部に取り付ける。このように発光ダイオードユニットをボタン電池Ｒの厚さや幅員等を基準として最薄で且つ最小面積となるように形成されるものとしてある。
【００３７】
さらに、図５に示すように、リモコン１５操作により発音可能とするようホルダーケース１には音声発生装置４が内蔵されていても良い。
【００３８】
すなわち、ホルダーケース１の内部には、当該ホルダーケース１に向けて発信可能なリモコン１５の操作により発音駆動させることのできる、例えば音声ＩＣ等による音声発生装置４が設置されており、ホルダーケース１を紛失した際には、リモコン１５操作でもって音声ＩＣを発音作動させることで、ホルダーケース１の所在が容易に認知できるようにしてある。このとき音声発生装置４から発声する音の種類としては、例えば人の声、虫の鳴き声、電子音、機械音等の各種の音を採用し、これらをリモコン１５操作で任意に切り替えて発声させるようにしても良い。
【００３９】
また、回転スライド式のキー先端突出機構Ｑの他の例としては、支軸７には弦巻バネのコイル部分が巻装された状態で、当該弦巻バネの一端部をホルダーケース１に固定し、弦巻バネの他端部をキーＰに固定することで、キーＰをホルダーケース１のＬ字状の開口部１１から常時押し出されるように付勢してあるものとしても良い。
【００４０】
このような場合には、ホルダーケース１の側面において上下にスライド可能となるスライドレバーを設け、スライドレバーの先端にはフック部が形成され、このフック部側とホルダーケース１内側面に形成されている凹所との間にはスプリングが介装されることで、スライドレバー自体を常に上方向に付勢するようにし、そしてキーＰは、前記スライドレバーのフック部が係合するようにして構成する。
【００４１】
ホルダーケース１へのキーＰの収納に際し、ホルダーケース１のスライドレバーを下方向に押すと、スライドレバーのフック部とキーＰとの係合が外れ、弦巻バネの拡開付勢力に任せて開口部１１からキーＰが回転して引き出される。
【００４２】
これと同時に、キーＰがホルダーケース１に付設されている発光装置３におけるスイッチＳＷを押圧して、キーＰ先端の突出方向に向けて光が照射され、キーＰが差し込まれるキー孔がこの光によって照明される。
【００４３】
一方、キーＰが開口部１１から押し出されている状態から弦巻バネの付勢力に抗して当該キーＰ自体を手指でもってホルダーケース１内に強制的に回転させて押し込むと、キーＰがスライドレバーのフック部を押圧させることによりスライドレバー自体はスプリングの付勢力に抗して退避させられてからフック部はキーＰに係合するものとなり、これによってキーＰはホルダーケース１内に収納保持される。これと同時に、キーＰはホルダーケース１に付設されている発光装置３のスイッチから離れて光が消灯される。
【００４４】
尚、このキー先端突出機構Ｑは、本考案を何等限定するものではなく、例えば直進スライド式、縦開き式等の方式を採用しても良いことは勿論である。
【００４５】
次に、以上のように構成された最良の形態についての使用、動作の一例について説明する。ホルダーケース１の吊下げ孔部２にネックストラップＳを取り付ける。
【００４６】
また、ホルダーケース１の３個の貫通孔１ａそれぞれには、平仮名、片仮名、アルファベット、漢字等が表面に表示された弾性を有するプラスチック製の駒片６ａを備えた名前表示具６の脚６ｂが差し込み装着される。
【００４７】
このとき、図３に示すように、ホルダーケース１の３個の貫通孔１ａそれぞれに駒片６の脚６ｂを差し込んだ際には、脚６ｂ下端の係止突部６ｃによってこれら名前表示具６の貫通孔１ａからの引き抜きが阻止された状態となる。
【００４８】
また、図５に示すように、発光装置３としてのケーシングＫをホルダーケース１の収容凹部５内に装着し、発光ダイオードＲをキーＰ先端が出入するホルダーケース１の一端側から外方へ向けられるように配置する。
【００４９】
キーＰの使用に際し、ホルダーケース１の指先挿入用の切欠部１２に指先を差し込み、キーＰ先端部分を引き出す。このとき、キーＰは、支軸７の廻りに回転されて、図２に示すように、ホルダーケース１の開口部１１から引き出されて延長した状態となる。
【００５０】
このとき、図６に示すように、ホルダーケース１内から突出したキーＰのツマミ側が、開口部１１の端部内側のスイッチＳＷを押圧することでスイッチオンの状態となって発光ダイオード（ＬＥＤ）Ｒが点灯する。したがって、キーＰ先端の突出方向に向けて光が照射され、キーＰが差し込まれるキー孔がこの光によって照明される。
【００５１】
また、キーＰ先端をホルダーケース１内に収納する場合には、キーＰを、支軸７の廻りに回転させ、指先でキーＰ先端を指先挿入用の切欠部１２内に押し込む。
【００５２】
このとき、図５に示すように、ホルダーケース１内に押し込まれたキーＰのツマミ側が、開口部１１の端部内側のスイッチＳＷから離反することでスイッチオフの状態となって発光ダイオード（ＬＥＤ）Ｒが消灯する。
【００５３】
ホルダーケース１を紛失した際には、リモコン１５を操作することで、ホルダーケース１の音声ＩＣ等による音声発生装置４を発音作動させれば、ホルダーケース１の所在が認知される。
【図面の簡単な説明】
【００５４】
【図１】本考案を実施するための最良の形態におけるキーホルダーを示すキー収納状態の斜視図である。
【図２】同じくキーホルダーのキー突出状態の斜視図である。
【図３】同じくホルダーケースへの名前表示具の取り付け状態を示す縦断面図である。
【図４】同じく名前表示具の全体斜視図である。
【図５】同じくホルダーケース裏面へ発光装置を取り付ける状態を示す斜視図である。
【図６】同じくキー先端の突出と同時にホルダーケース裏面の発光装置が点灯した状態を示す斜視図である。
【図７】同じく発光装置のスイッチング動作を説明するための回路図である。
【図８】同じく発光装置における発光ダイオードユニットの具体例を示し、（ａ）は円形のケーシングを用いた発光ダイオードユニットの平面図、（ｂ）はハート形のケーシングを用いた発光ダイオードユニットの平面図、（ｃ）はハート形のケーシングを用いた他の発光ダイオードユニットの平面図、（ｄ）は正方形のケーシングを用いた発光ダイオードユニットの平面図、（ｅ）は長方形のケーシングを用いた発光ダイオードユニットの平面図、（ｆ）は長方形のケーシングを用いた他の発光ダイオードユニットの平面図である。
【符号の説明】
【００５５】
Ｐ    キー
Ｑ    キー先端突出機構
Ｒ    発光ダイオード（ＬＥＤ）
Ｖ    ボタン電池
Ｓ    ネックストラップ
Ｋ    ケーシング（発光ダイオードユニット）
ＳＷ  スイッチ
Ｒ１  抵抗
１    ホルダーケース
１ａ  貫通孔
２    吊下げ孔部
３    発光装置
４    音声発生装置
５    収容凹部
６    名前表示具
６ａ  駒片
６ｂ  脚
６ｃ  係止突部
７    支軸
１１  開口部
１２  切欠部
１５  リモコン
【図１】
0003130223.tif 000003
【図２】
0003130223.tif 000004
【図３】
0003130223.tif 000005
【図４】
0003130223.tif 000006
【図５】
0003130223.tif 000007
【図６】
0003130223.tif 000008
【図７】
0003130223.tif 000009
【図８】
0003130223.tif 000010
【手続補正書】
【提出日】平成19年1月12日(2007.1.12)
【手続補正１】
【補正対象書類名】実用新案登録請求の範囲
【補正対象項目名】全文
【補正方法】変更
【補正の内容】
【実用新案登録請求の範囲】
【請求項１】
ホルダーケースの側面に形成された開口部を介してキー先端が引き出されるよう当該キーのツマミ側がホルダーケース内に支軸を介して回転自在に枢着されて成るキー先端突出機構を備えたキーホルダーであって、当該ホルダーケースは、熱可塑性プラスチックもしくは熱硬化性プラスチック等の軟質で且つ軽量なプラスチック素材によって形成されていることを特徴とするキーホルダー。
【請求項２】
ホルダーケースの表面には、複数個の貫通孔を有し、該貫通孔に名前表示具が脱着自在に差し込み装着されている請求項１記載のキーホルダー。
【請求項３】
名前表示具は、平仮名・片仮名・アルファベット・漢字のいずれかによる文字が表記された弾性を有するプラスチック製の駒片を備え、前記貫通孔に貫挿されるよう当該駒片には係止突部付の脚が垂設されて成る請求項２記載のキーホルダー。
【請求項４】
キー先端突出機構は、ホルダーケースの側面から下面にかけて形成された開口部を介してキー先端が引き出されるよう当該キーのツマミ側がホルダーケース内に支軸を介して回転自在に枢着されて成り、指先によるキー先端の引き出し延長もしくは押し込み収納が可能となるよう開口部を挟むホルダーケースの片面端部から内側に向けて指先挿入用の切欠部を有する請求項１乃至３のいずれかに記載のキーホルダー。
【請求項５】
ホルダーケースからのキー先端の引き出しと同時に引き出し方向に向けて光を照射可能とするよう当該ホルダーケースに、ボタン電池サイズを基準としてユニット化された発光ダイオードユニットによる発光装置を備えた請求項１乃至４のいずれかに記載のキーホルダー。
【請求項６】
ホルダーケースには、リモコン操作により発音可能とする音声発生装置を備えた請求項１乃至５のいずれかに記載のキーホルダー。
【請求項７】
ホルダーケースには、ネックストラップを着脱自在に取り付け可能とする吊下げ孔部を備えた請求項１乃至６のいずれかに記載のキーホルダー。
【手続補正２】
【補正対象書類名】明細書
【補正対象項目名】０００５
【補正方法】変更
【補正の内容】
【０００５】
上述した課題を解決するため、本考案にあっては、ホルダーケースの側面に形成された開口部を介してキー先端が引き出されるよう当該キーのツマミ側がホルダーケース内に支軸を介して回転自在に枢着されて成るキー先端突出機構を備えたキーホルダーであって、当該ホルダーケースは、熱可塑性プラスチックもしくは熱硬化性プラスチック等の軟質で且つ軽量なプラスチック素材によって形成されていることを特徴とする。